(57)【要約】【課題】施工環境に影響されることなく設置でき、施工作業も容易にできる照明器具の落下防止装置を提供する。【解決手段】照明器具２０を取り付けるべき場所に設けられた被取付部１１と、照明器具２０に設けられ、被取付部１１に取り付けられる取付部１２と、被取付部１１に取り付けられた取付部１２を支持する第１支持部１３と、を備える。【選択図】図１
2012172751.tif 000002
【特許請求の範囲】
【請求項１】
照明器具を取り付けるべき場所に設けられた被取付部と、
前記照明器具に設けられ、前記被取付部に取り付けられる取付部と、
前記被取付部に取り付けられ、前記取付部を支持する支持部と、
を備える照明器具の落下防止装置。
【請求項２】
請求項１に記載の照明器具の落下防止装置において、
前記被取付部は棒状に形成され、前記支持部は前記被取付部に対する上下位置を変更可能に取り付けられている照明器具の落下防止装置。
【請求項３】
請求項２に記載の照明器具の落下防止装置において、
前記被取付部は建築躯体に設けられ、前記取付部には、前記被取付部を挿通させる貫通孔が設けられている照明器具の落下防止装置。
【請求項４】
請求項１ないし請求項３のうちのいずれか１項に記載の照明器具の落下防止装置において、
前記照明器具と前記取付部とは連結部によって連結され、前記連結部は、前記被取付部より前記照明器具の中心部寄りに設けられている照明器具の落下防止装置。
【請求項５】
請求項１ないし請求項４のうちのいずれか１項に記載の照明器具の落下防止装置において、
前記被取付部は一対設けられ、前記取付部は、前記一対の前記被取付部間の中心に対して左右対称となるように取り付けられている照明器具の落下防止装置。
【請求項６】
請求項１ないし請求項５のうちのいずれか１項に記載の照明器具の落下防止装置において、
前記取付部は、外周縁が上方に向かって突出するように形成されている照明器具の落下防止装置。
【発明の詳細な説明】
【技術分野】
【０００１】
本発明は、照明器具の落下防止装置に関する。
【背景技術】
【０００２】
従来、建物等にアンカーボルトによって設置される照明器具が知られている（例えば、特許文献１参照）。
【先行技術文献】
【特許文献】
【０００３】
【特許文献１】特開２００６−３８０８３号公報（請求項１、段落００１８、００１９、図２）
【発明の概要】
【発明が解決しようとする課題】
【０００４】
ところで、近年では、照明器具の落下防止のために、ワイヤーを併用して照明器具を設置することが進められている。しかし、照明器具を設置する場所に、ワイヤーの固定場所がない場合には、照明器具を設置できない等、施工環境に影響されるという問題があった。また、ワイヤーの長さが様々で、施工が煩雑になるという問題があった。
【０００５】
本発明は、照明器具を施工環境に影響されることなく設置でき、施工も容易にできる照明器具の落下防止装置を提供することにある。
【課題を解決するための手段】
【０００６】
本発明は、照明器具を取り付けるべき場所に設けられた被取付部と、前記照明器具に設けられ、前記被取付部に取り付けられる取付部と、前記被取付部に取り付けられ、前記取付部を支持する支持部と、を備える。
【０００７】
ここで、前記被取付部は棒状に形成され、前記支持部は前記被取付部に対する上下位置を変更可能に取り付けられている。
【０００８】
また、前記被取付部は建築躯体に設けられ、前記取付部には、前記被取付部を挿通させる貫通孔が設けられている。
【０００９】
また、前記照明器具と前記取付部とは連結部によって連結され、前記連結部は、前記被取付部より前記照明器具の中心部寄りに設けられている。
【００１０】
また、前記被取付部は一対設けられ、前記取付部は、前記一対の前記被取付部間の中心に対して左右対称となるように取り付けられている。
【００１１】
また、前記取付部は、外周縁が上方に向かって突出するように形成されている。
【発明の効果】
【００１２】
本発明によれば、施工環境に影響されることなく設置でき、設置作業も容易にできる照明器具の落下防止装置を提供できる。
【図面の簡単な説明】
【００１３】
【図１】本発明に係る実施形態の照明器具の落下防止装置を示す図
【図２】実施形態の被取付部を示す斜視図
【図３】実施形態の取付部を示す斜視図
【図４】図３のＡ−Ａ断面図
【図５】実施形態の被取付部に対する取付部の取付要領を示す斜視図
【発明を実施するための形態】
【００１４】
以下、本発明に係る実施形態の照明器具の落下防止装置について、図面を参照して説明する。
図１は、本発明に係る実施形態の照明器具の落下防止装置１０を示す。この照明器具の落下防止装置１０は、照明器具２０を取り付けるべき場所に設けられた被取付部１１を備えている。また、照明器具の落下防止装置１０は、照明器具２０に設けられ、被取付部１１に取り付けられる取付部１２と、被取付部１１に取り付けられた取付部１２を支持する第１支持部１３とを備えている。更に、この照明器具の落下防止装置１０は、照明器具２０を支持する第２支持部１４を備えている。
【００１５】
次に、上記各構成要素について説明する。照明器具２０は、一般的なものを例示できる。被取付部１１は、図２に示すように、棒状に形成されている。ここでは、被取付部１１は、アンカーボルトが使用されている。この被取付部１１は適宜な間隔をあけて一対設けられ、並列配置されている。
【００１６】
被取付部１１は、照明器具２０を取り付けるべき場所、ここでは、建築躯体２１に、下方に向けて取り付けられている。被取付部１１には、第１支持部１３が上下移動自在にねじ込まれている。
【００１７】
図１の取付部１２は、照明器具２０の上面の中央部に設けられた連結部１５を介して照明器具２０の上部に連結されている。照明器具２０の発光部２２は、建築躯体２１に設けられた天井仕上材３の孔２４から下方に向けて露呈されている。
【００１８】
取付部１２は、図３に示すように、四角形の皿状に形成されている。取付部１２には、その中心点１６に対して左右対称となる一対の貫通孔１７，１７が設けられている。図４に示すように、取付部１２における外周縁１８は、上方に向かって突出するように、ほぼ直角に折り曲げられている。
【００１９】
図５に示すように、照明器具２０は、取付部１２の貫通孔１７に被取付部１１が挿通されている。そして、第１支持部１３の上下位置を調整することにより、取付部１２が第1支持部１３によって支持されている。これにより、取付部１２および照明器具２０が、被取付部１１に適切な高さとなるように取り付けられる。
【００２０】
本実施形態の照明器具の落下防止装置１０によれば、建築躯体２１に取り付けられた被取付部１１に、取付部１２を介して照明器具２０が取り付けられ、第１支持部１３によって取付部１２が支持される。従って、従来のように、照明器具２０を設置しようとする場所、ここでは建築躯体２１に、ワイヤーを固定する場所がない場合でも、施工環境に影響されることなく、照明器具２０を設置できる。また、従来のように、ワイヤーの長さを調節する等の作業をする必要がなく、施工が容易になる。
【００２１】
また、被取付部１１は棒状に形成され、第１支持部１３は被取付部１１に対する上下位置を変更可能に取り付けられているため、照明器具２０の設置高さを簡単に調節できる。
【００２２】
また、被取付部１１は建築躯体２１に設けられ、取付部１２には、被取付部１１を貫通させる貫通孔１７が設けられているので、被取付部１１を貫通孔１７に挿通させるだけで、取付部１２を被取付部１１に簡単に取り付けできる。
【００２３】
また、照明器具２０と取付部１２とを連結する連結部１５は、被取付部１１より照明器具２０の中心部寄りに設けられているため、取付部１２を被取付部１１に取り付ける際に、連結部１５が取り付け作業の邪魔になることがない。
【００２４】
また、被取付部１１は一対設けられ、取付部１２は、一対の被取付部１１間の中心に対して左右対称となるように取り付けられているため、照明器具２０をバランスよく設置できる。
【００２５】
また、取付部１２は、外周縁１８が上方に向かって突出するように形成されているため、取付部１２の上に溜まった埃が落下するのを抑制できる。
【符号の説明】
【００２６】
１０  照明器具の落下防止装置
１１  被取付部
１２  取付部
１３  第１支持部(支持部)
１５  連結部
１７  貫通孔
１８  外周縁
２０  照明器具
【図１】
2012172751.tif 000003
【図２】
2012172751.tif 000004
【図３】
2012172751.tif 000005
【図４】
2012172751.tif 000006
【図５】
2012172751.tif 000007